(57)【要約】【課題】映像表示の邪魔にならないよう的確な音量レベルの表示を行うこと【解決手段】本発明は、映像情報を表示する映像表示部１０と、映像情報と同期する音声情報を取得する音声情報取得部１２と、音声情報取得部１２で取得した音声情報の音量に応じた色を決定する色決定部１３と、映像表示部１０の映像表示領域の一部に設定した音量レベル表示領域内を色決定部１３で決定した色で表示する音量表示制御部１４とを有する情報表示装置１である。【選択図】図１
2010276733.tif 000002
【特許請求の範囲】
【請求項１】
映像情報を表示する映像表示部と、
前記映像情報と同期する音声情報を取得する音声情報取得部と、
前記音声情報取得部で取得した音声情報の音量に応じた色を決定する色決定部と、
前記映像表示部の映像表示領域の一部に設定した音量レベル表示領域内を前記色決定部で決定した色で表示する音量表示制御部と
を有する情報表示装置。
【請求項２】
前記音量表示制御部は、前記音量レベル表示領域の外周枠を設定し、前記音声情報の音量が予め設定されたレベルを超えた際に当該外周枠の色を変化させる表示を行う
請求項１記載の情報表示装置。
【請求項３】
前記音量表示制御部は、前記音量レベル表示領域の外周枠を設定し、前記音声情報の音量が０レベルか否かによって前記外周枠の表示形態を変化させる
請求項１または２記載の情報表示装置。
【請求項４】
前記音声情報取得部で複数チャンネルの音声情報を取得した場合、
前記色決定部は、各チャンネルの音声情報ごとに音量に応じた色を決定し、
前記音量表示制御部は、各チャンネルごとに設定した音量レベル表示領域内を前記色決定部で決定した各チャンネルごとの音量に応じた色で表示する
請求項１から３のうちいずれか１項に記載の情報表示装置。
【請求項５】
前記音声情報取得部で複数チャンネルの音声情報を取得した場合、
前記音量表示制御部は、各チャンネルごとに設定した前記音量レベル表示領域の近傍に前記音量レベル表示領域と対応するチャンネル番号を表示する
請求項１から４のうちいずれか１項に記載の情報表示装置。
【請求項６】
前記音量表示制御部は、現在以前の予め設定された時間内において前記音声情報の音量が予め設定したレベルを超えた履歴がある場合、その旨を示す表示を前記音量レベル表示領域に行う
請求項１から５のうちいずれか１項に記載の情報表示装置。
【請求項７】
前記音量表示制御部は、前記音量レベル表示領域を前記映像表示領域のセーフタイトルエリアの外側に表示する制御を行う
請求項１から６のうちいずれか１項に記載の情報表示装置。
【請求項８】
映像情報と当該映像情報に同期する音声情報とを取得する工程と、
前記音声情報の音量に応じた色を決定する工程と、
前記映像情報を映像表示部に表示する際、前記映像表示部の映像表示領域の一部に音量レベル表示領域を設定し、当該音量レベル表示領域内を前記音声情報の音量に応じて決定した色で表示する工程と
を有する情報表示方法。
【請求項９】
映像情報と当該映像情報に同期する音声情報とを取得するステップと、
前記音声情報の音量に応じた色を決定するステップと、
前記映像情報を映像表示部に表示する際、前記映像表示部の映像表示領域の一部に音量レベル表示領域を設定し、当該音量レベル表示領域内を前記音声情報の音量に応じて決定した色で表示するステップと
をコンピュータに実行させる情報表示プログラム。
【発明の詳細な説明】
【技術分野】
【０００１】
本発明は、情報表示装置、情報表示方法および情報表示プログラムに関する。詳しくは、映像情報とともに音量レベルを表示する情報表示装置、情報表示方法および情報表示プログラムに関する。
【背景技術】
【０００２】
映像を表示するにあたり、この映像に同期する音声のレベルを確認するAudio Level Meterが従来より用いられている。すなわち、Audio Level Meterは、入力された音や出力している音のレベルを確認するときに使われるメータである。実際の音が複数チャンネルある場合、同時に複数チャンネルを聞き分けることは困難であるが、このAudio Level Meterを用いることで、同時に複数チャンネルの音声の状態を視覚的に確認することができる。このため、映像制作局の調整室などでよく使われる。
【０００３】
このようなAudio Level Meterとしては、レベルに応じて点灯箇所が伸縮する棒状表示のものや、棒状表示の点灯箇所が音量レベルに応じて色分けされる表示のものが用いられている（例えば、特許文献１〜３参照。）。
【先行技術文献】
【特許文献】
【０００４】
【特許文献１】特開昭６１−２５３６８９号公報
【特許文献２】実開昭５４−１２７５２６号公報
【特許文献３】実開昭６０−１２７５６４号公報
【発明の概要】
【発明が解決しようとする課題】
【０００５】
しかしながら、従来の技術では、Audio Level Meterとしてレベルに応じて点灯箇所が伸縮する棒状表示となっており、映像表示の邪魔になる。特に、音声情報のチャンネル数が増えると映像表示のうちAudio Level Meterの表示の占める割合が大きくなり、本来の映像表示が見にくくなるという問題が顕著となる。
【０００６】
本発明は、映像表示の邪魔にならないよう的確に音量レベルの表示を行う技術の提供を目的とする。
【課題を解決するための手段】
【０００７】
本発明は、映像情報を表示する映像表示部と、映像情報と同期する音声情報を取得する音声情報取得部と、音声情報取得部で取得した音声情報の音量に応じた色を決定する色決定部と、映像表示部の映像表示領域の一部に設定した音量レベル表示領域内を色決定部で決定した色で表示する音量表示制御部とを有する情報表示装置である。
【０００８】
このような本発明では、音量レベル表示領域内の表示色が音量に応じて切り替わることから、音量レベルに応じた表示の伸縮によらず、一つの音量レベル表示領域内の色によって音量レベルを視認できるようになる。
【０００９】
例えば、音量レベル表示領域としては、映像表示に邪魔にならないごく小さな表示エリアで済むことになる。例えば矩形や丸型といった単純で小さな形状を設定し、その形状内全体の色を音量レベルで変化させる。音声情報が複数チャンネルある場合には、音量レベル表示領域を各チャンネルに対応させて表示する。音量レベル表示領域が単純な形状で済むことから、多チャンネルであっても映像表示の邪魔にならない。
【００１０】
音量表示制御部は、音量レベル表示領域の外周枠を設定し、音声情報の音量が予め設定されたレベルを超えた際に当該外周枠の色を変化させる表示を行ったり、音声情報の音量が０レベルか否かによって当該外周枠の表示形態を変化させたりする。
【００１１】
また、本発明は、映像情報と当該映像情報に同期する音声情報とを取得する工程と、音声情報の音量に応じた色を決定する工程と、映像情報を映像表示部に表示する際、映像表示部の映像表示領域の一部に音量レベル表示領域を設定し、当該音量レベル表示領域内を音声情報の音量に応じて決定した色で表示する工程とを有する情報表示方法である。
【００１２】
このような本発明では、音量レベル表示領域内の表示色が音量に応じて切り替わることから、音量レベルに応じた表示の伸縮によらず、一つの音量レベル表示領域内の色によって音量レベルを視認できるようになる。
【００１３】
また、本発明は、映像情報と当該映像情報に同期する音声情報とを取得するステップと、音声情報の音量に応じた色を決定するステップと、映像情報を映像表示部に表示する際、映像表示部の映像表示領域の一部に音量レベル表示領域を設定し、当該音量レベル表示領域内を音声情報の音量に応じて決定した色で表示するステップとをコンピュータに実行させる情報表示プログラムである。
【００１４】
このような本発明では、コンピュータによって映像表示とともに音量レベルを表示させるにあたり、音量レベル表示領域内の表示色が音量に応じて切り替わる。これにより、音量レベルに応じた表示の伸縮によらず、一つの音量レベル表示領域内の色によって音量レベルを視認できるようになる。
【発明の効果】
【００１５】
本発明によれば、映像情報の表示とともに音声レベルを表示するにあたり、映像表示を邪魔することなく的確に音量レベルを表示することが可能となる。
【図面の簡単な説明】
【００１６】
【図１】本実施形態に係る情報表示装置を説明するブロック構成図である。
【図２】本実施形態に係る情報表示装置の外観構成の一例を示す図である。
【図３】本実施形態に係る情報表示方法の流れを説明する図である。
【図４】音量レベル表示領域の表示例を説明する図である。
【図５】音量レベル表示領域の形態例を示す図である。
【図６】色決定のテーブル例を説明する図である。
【図７】音量レベルに応じた色の表示例を示す図である。
【図８】同一音量レベル内での色の濃淡の設定例を説明する図である。
【図９】音量レベル表示領域の外周枠の表示例について説明する図である。
【図１０】外周枠の表示形態の決定処理を説明するフローチャートである。
【図１１】複数チャンネルの音声情報を取得した場合の表示例を示す図である。
【図１２】本実施形態に係る情報表示プログラムを説明するフローチャートである。
【発明を実施するための形態】
【００１７】
以下、本発明を実施するための形態（以下、「実施形態」という。）について説明する。なお、説明は以下の順序で行う。
１．情報表示装置（情報表示装置のブロック構成の例、情報表示装置の外観構成の例）
２．情報表示方法（情報表示方法の流れ、音量レベル表示の例、音量レベル表示領域の形態例）
３．色決定部での処理の具体例（色決定のテーブルの例、音量レベルに応じた色の表示例、同一レベル内での色の表示例）
４．音量表示制御部での処理（外周枠の表示例、外周枠の表示形態の決定処理の例）
５．複数チャンネルの場合の表示例
６．情報表示プログラム
【００１８】
＜１．情報表示装置＞
［情報表示装置のブロック構成］
図１は、本実施形態に係る情報表示装置を説明するブロック構成図である。すなわち、本実施形態に係る情報表示装置１は、映像表示部１０、映像情報取得部１１、音声情報取得部１２、色決定部１３、音量表示制御部１４を備えている。
【００１９】
映像表示部１０は、映像情報を表示するモニタ部分である。映像情報取得部１１は、受け付けた情報から映像情報を取得する部分である。受け付ける情報は各種の形式に対応しており、映像情報と音声情報とが別個に送られてくる形式や、映像情報と音声情報とが合成された状態で送られてくる形式もある。また、情報が圧縮（符号化）された状態で送られる場合もある。映像情報取得部１１は、情報が圧縮されている場合には伸張（復号化）して映像情報を取り出す処理を行う。
【００２０】
音声情報取得部１２は、受け付けた情報から音声情報を取得する部分である。先に示したように、受け付ける情報には映像情報と音声情報とが別個に送られてくる形式や、合成された状態で送られてくる形式、また圧縮されている場合もある。音声情報取得部１２は、情報が圧縮されている場合には伸張（復号化）して音声情報を取り出す処理を行う。
【００２１】
色決定部１３は、音声情報取得部１２で取得した音声情報の音量に応じた色を決定する処理を行う。詳細は後述するが、色決定部１３は、音声情報の音量に応じて、予め設定された音量レベルの区分けに対応した色を決定する。
【００２２】
音量表示制御部１４は、映像表示部１０の映像表示領域の一部に音量レベル表示領域を設定し、この設定した音量レベル表示領域内を色決定部１３で決定した色で表示する制御を行う。この音量レベル表示領域は、映像表示部１０の映像表示領域に対して非常に小さい領域となっている。例えば、映像表示領域のセーフタイトルエリア（映像表示領域の中央の８０％〜９０％の領域）の外側に表示される。音量レベル表示領域が表示されていても、映像表示の邪魔にはならない。
【００２３】
映像表示領域は、例えば矩形形状となっており、矩形形状の外周枠と内側領域との色や表示形態によって音量レベルを示すようになっている。すなわち、矩形形状の内側領域の色は、色決定部１３で決定した色によって表示される。つまり、音声情報の音量のレベルに応じて矩形形状の内側領域内の色が変わることから、この色によって音量レベルを判断できることになる。
【００２４】
また、矩形形状の外周枠は、表示色や表示形態によって音量レベルの状態を示す。例えば、音声情報の音量が予め設定されたレベルを超えた場合、外周枠の表示色をそれまでと異なる表示にする。また、例えば、音声情報の音量が０レベル（無音）であった場合、外周枠の表示形態をそれまでと異なる表示する。
【００２５】
また、音声情報取得部１２で複数チャンネルの音声情報を取得した場合、音量表示制御部１４は、複数チャンネルに対応した複数の音量レベル表示領域を設定する。そして、色決定部１３で各チャンネルの音声情報ごとに音量に応じた色を決定し、音量表示制御部１４は、各チャンネルごとに設定した音量レベル表示領域内を色決定部１３で決定した各チャンネルごとの色で表示する。
【００２６】
ここで、音量表示制御部１４は、複数チャンネルに対応した音量レベル表示領域を映像表示部１０に表示するにあたり、各チャンネルごとに設定した音量レベル表示領域の近傍に音量レベル表示領域と対応するチャンネル番号を表示する。これにより、複数の音量レベル表示領域が表示されていても、どの音量レベル表示領域がどのチャンネルに対応しているものかを把握できる。
【００２７】
また、音量表示制御部１４は、現在以前の予め設定された時間内において音声情報の音量が予め設定したレベルを超えた履歴がある場合、その旨を示す表示を音量レベル表示領域に行う。例えば、最大の音声レベルを設定しておき、再生した映像の中に音声レベルが最大を超える部分があった場合にはその音声のチャンネルに対応した音量レベル表示領域の外周枠の色を変化させる。具体的には、例えば通常白色で外周枠を表示している音量レベル表示領域について、最大レベルを超える音声情報があった場合には外周枠を赤色に変化させる。この外周枠の色が変化した状態を所定時間履歴として残しておく。これにより、外周枠の色によって過去に所定レベルを超える音声情報が入力されていたのか否かを判断できることになる。
【００２８】
音量表示制御部１４で表示の制御を行う音量レベル表示領域の外周枠や内側の色および表示形態は、ユーザの好みに応じて設定変更可能となっている。音量レベル表示領域の外周枠や内側の色の設定は、色決定部１３が音量レベルに応じて色を決定する際に用いるテーブルデータの内容を書き換えることで実現される。この書き換えは、所定のユーザインタフェース画面を介して行われたり、ネットワークを介してテーブルデータをダウンロードすることすることで行われる。これにより、音量レベルと色との対応付けや外周枠の表示形態の対応付けが設定される。
【００２９】
［情報表示装置の外観構成］
図２は、本実施形態に係る情報表示装置の外観構成の一例を示す図である。この構成例では、本実施形態の情報表示装置１が筐体Ｋに各部が内蔵された構成となっている。筐体Ｋの前面には液晶等のモニタから成る映像表示部１０が設けられ、筐体Ｋの内部に先に説明した映像情報取得部１１、音声情報取得部１２、色決定部１３、音量表示制御部１４が設けられている。この情報表示装置１には、外部の映像・音声情報再生装置２から映像・音声情報がケーブル等を介して送信される。
【００３０】
情報表示装置１は、映像・音声情報再生装置２から送信される映像・音声情報を受け取り、この情報から映像情報取得部１１で映像情報を取得し、音声情報取得部１２で音声情報を取得する。取得した映像情報は液晶等のモニタである映像表示部１０に表示される。また、取得した音声情報は図示しないスピーカ等から出力される。この音声の出力とともに、色決定部１３では音量レベルに応じた色を決定し、音量表示制御部１４の制御によって、映像表示部１０には音量レベル表示領域が表示される。音量レベル表示領域には、色決定部１３で決定した音声情報の音量レベルに応じた色が示される。
【００３１】
図２に示す例では、情報の送信元が映像・音声情報再生装置２であるが、放送の受信機であったり、映像および音声を取り込むカメラであってもよい。また、情報の送信元が情報表示装置１と別体となっているが、情報表示装置１に内蔵されている構成であってもよい。
【００３２】
また、情報表示装置１は、モニタのような映像表示の専用機で実現される場合のほか、パーソナルコンピュータや携帯端末等の汎用機で実現される場合もある。情報表示装置１を構成する映像情報取得部１１、音声情報取得部１２、色決定部１３、音量表示制御部１４は、専用ＩＣ（Integrated Circuit）のようなハードウェアで構成しても、ソフトウェアによって構成してもよい。
【００３３】
＜２．情報表示方法＞
［情報表示方法の流れ］
図３は、本実施形態に係る情報表示方法の流れを説明する図である。先ず、情報の受信を行う。ここで、情報は各種の形式に対応したものとなっている。例えば、映像情報と音声情報とが別個に送られてくる形式や、映像情報と音声情報とが合成された状態で送られてくる形式もある。また、情報が圧縮（符号化）された状態で送られる場合もある。
【００３４】
次に、受信した情報から映像情報の取得を行う。また、受信した情報から音声情報の取得を行う。すなわち、受信した情報が圧縮されている場合には伸張（復号化）して、映像情報および映像情報と同期する音声情報を取り出す処理を行う。
【００３５】
次に、取り出した音声情報から音量レベルに応じた色の決定を行う。そして、取り出した映像情報を映像表示部に表示する処理を行う。この映像情報の表示を行う際、映像情報と同期する音声情報を出力するとともに、その音声情報の音量レベルを示す音量レベル表示領域を設定し、音量レベル表示領域内に先に決定した色を付して映像表示部に表示する処理を行う。
【００３６】
［音量レベル表示の例］
図４は、音量レベル表示領域の表示例を説明する図である。先に説明した本実施形態に係る情報表示装置および情報処理方法では、受信した情報から取得した映像情報を映像表示部１０の映像表示領域１００に表示する。また、映像表示領域１００の一部に音量レベル表示領域１０１を表示する。図４に示す例では、映像表示領域１００のうち、中心寄りの８０％〜９０％の領域であるセーフタイトルエリアＳＴＡの外側に音量レベル表示領域１０１を設定している。図４の拡大図に示すように、音量レベル表示領域１０１は、外周枠１０１ａと内側１０１ｂとによって構成されている。
【００３７】
音量レベル表示領域１０１の内側１０１ｂには、色決定部によって決定された色、すなわち、現在再生中の映像と同期した音声の音量レベルに応じた色が付されている。音量レベル表示領域１０１の大きさは音量レベルが変化しても一定であり、映像表示の邪魔にならない。音量レベル表示領域１０１は、音量レベルに応じて内側１０１ｂの色が変わることから、この色を参照して音量レベルを把握することになる。
【００３８】
外周枠１０１ａは、通常では例えば白色や黒色の表示であるが、音量が予め設定されたレベルを超えた場合、通常の色とは異なる色、例えば赤色の表示に変わる。また、外周枠１０１ａは、音声情報の有無（０レベルか否か）によって表示形態が変わるようになっている。例えば、音声情報が無い（０レベル）場合には外周枠１０１ａが破線で表示され、音声情報が有る（０レベルでない）場合には外周枠１０１ａが実線で表示される。音声情報が無い場合には、内側１０１ｂを透明にしてもよい。
【００３９】
図４に示す例では、映像表示領域１００のうちセーフタイトルエリアＳＴＡの外側、右下に音量レベル表示領域１０１を表示しているが、この場所に限定されるものではない。すなわち、セーフタイトルエリアＳＴＡの外側の他の位置に表示したり、場合によってはセーフタイトルエリアＳＴＡの内側に表示してもよい。つまり、映像表示領域１００に表示される映像情報の邪魔にならない大きさ、位置に表示すればよい。
【００４０】
音量レベル表示領域１０１の表示の大きさ、位置は、ユーザによって設定可能である。例えば、ユーザインタフェースを介してユーザの指定を音量表示制御部１４（図１参照）が受け付け、その受け付けた設定に基づき音量レベル表示領域１０１の表示の大きさ、位置を決定して表示制御すればよい。また、音量レベル表示領域１０１の表示の大きさや位置の情報をネットワークを介して情報表示装置に取り込み、設定するようにしてもよい。
【００４１】
［音量レベル表示領域の形態例］
図５は、音量レベル表示領域の形態例を示す図である。（ａ）は矩形の例、（ｂ）は円形の例、（ｃ）は三角形の例、（ｄ）は星形の例である。どのような形態であっても適用可能であるが、映像表示領域に表示される映像の邪魔にならない大きさで、ユーザにとって視認しやすい形状が好ましい。なお、本実施形態では、矩形（正方形）から成る音量レベル表示領域を用いる場合を例として、以降の説明を行う。
【００４２】
＜３．色決定部での処理の具体例＞
次に、色決定部での処理の具体例を説明する。
【００４３】
［色決定のテーブル］
図６は、色決定のテーブル例を説明する図である。色決定部では、音声情報取得部で取得した音声情報の音量レベルに応じて色を決定する。この決定を行うにあたり、図６に示すような音量レベルと色との対応が設定されたテーブルを利用する。なお、実際の決定処理では、テーブルとして設定されたものを用いる場合のほか、テーブルと同等な役目を果たす閾値判定処理で決定される場合もある。
【００４４】
図６に示す例では、音量レベルとして、「無音」、「第１レベル」、「第２レベル」、「第３レベル」、「設定レベル超」の５段階が設定され、各々の音量レベルに応じて色が対応付けされている。ここでは、「無音」に「透明（枠のみ表示）」が対応付けされ、「第１レベル」に「緑」が対応付けされ、「第２レベル」に「黄」が対応付けされている。同様に、「第３レベル」に「橙」が対応付けされ、「設定レベル超」に「赤」が対応付けされている。設定レベルとしては、例えば最大レベルであり、最大レベルを超えたことが明確に分かる色を対応付けしている。なお、これらの色の設定は一例である。
【００４５】
色決定部は、このようなテーブルを利用して音量レベルに応じた色を決定する。すなわち、入力された音声情報の音量からどの音量レベルに該当するか判定し、判定した音量レベルに応じた色をテーブルによって決定する。決定した色は音量表示制御部１４に出力され、音声情報の出力に合わせて音量表示制御部１４が設定した音量レベル表示領域にその決定された色が付される。
【００４６】
なお、上記説明では、無音から設定レベル超まで５段階のレベルを設定する例を示したが、５段階以外でも最低２段階あればよい。
【００４７】
［音量レベルに応じた色の表示例］
図７は、音量レベルに応じた色の表示例を示す図である。なお、この表示例は図６に示すテーブルと対応している。図７では、音量レベルに応じた音量レベル表示領域１０１の色の変遷を示している。つまり、一つの音量レベル表示領域の色が音量レベルによって変化する様子を示している。
【００４８】
音量レベルが０レベル（無音）の場合には、外周枠１０１ａのみ表示され、内側１０１ｂは透明で表示される。音量レベルの第１レベル（例えば、−６３ｄＢ以上−２０ｄＢ未満）の場合には、内側１０１ｂが緑色で表示される。音量レベルが第２レベル（例えば、−２０ｄＢ以上０ｄＢ未満）の場合には、内側１０１ｂが黄色で表示される。音量レベルが第３レベル（例えば、０ｄＢ）の場合には、内側１０１ｂが橙色で表示される。音量レベルが設定レベルを超えた場合には、内側１０１ｂが赤色で表示される。
【００４９】
［同一レベル内での色の表示例］
色決定部１３は、図６、図７に示すように音量レベルに応じた色を決定する例のほか、同一の音量レベル内であっても音量レベルに応じて色の濃淡を変化させる決定を行ってもよい。例えば、図６、図７に示す第１レベルや第２レベルのように、レベルの範囲が設けられている場合、そのレベルに応じた色の決定とともに、同一レベル内での音量に応じた色の濃淡を設定してもよい。
【００５０】
図８は、同一音量レベル内での色の濃淡の設定例を説明する図である。なお、図８では第１レベルを例としているが、第２レベルなど他の範囲であっても同様である。第１レベルには、音量が例えば−６３ｄＢ以上−２０ｄＢ未満の場合に該当する設定が成されている。この場合、色決定部１３（図１参照）は図６に示すテーブルから緑色であることを決定する。さらに、色決定部１３は、同じ緑色であっても、第１レベルの範囲内における音量のレベルに応じて緑色の濃淡を決定する。
【００５１】
例えば、第１レベルのうち音量が小さい側から大きい側に向かうに従い緑色を濃くする設定を行う。具体的には、第１レベルの音量範囲のうち最小を０％、最大を１００％とし、０％の場合の緑色の濃度を最も薄い色、１００％の場合の緑色の濃度を最も濃い色とする濃度範囲を設定する。そして、入力された音量の第１レベルの音量範囲での大きさ（％）を濃度範囲に比例配分して、入力された音量での緑色の濃さを決定する。色決定部１３は、この決定した色とともに濃さを音量表示制御部１４に送る。音量表示制御部１４は、色決定部１３から送られた色と濃度によって音量レベル表示領域１０１に付す色を制御する。
【００５２】
これにより、図８に示すように、同一レベル（例えば、第１レベル）に含まれる音量でも、音量レベルが小さい場合には薄い緑色、中間の音量レベルでは中間の濃さの緑色、音量レベルが大きい場合には濃い緑色というように変化することになる。同一レベルによる同じ色であっても、レベル内の音量によって色の濃さが変化すると、同一レベル内のどの程度の音量であるか視認できることになる。
【００５３】
＜４．音量表示制御部での処理＞
［外周枠の表示例］
図９は、音量レベル表示領域の外周枠の表示例について説明する図である。本実施形態では、音量レベル表示領域１０１の外周枠１０１ａの表示形態として、色の変化のほか、形状の変化も設定されている。外周枠の表示形態は、主として音量表示制御部１４（図１参照）によって行われるが、色の決定については色決定部１３（図１参照）で行ってもよい。
【００５４】
図９（ａ）に示す例は、音量レベル表示領域１０１の外周枠１０１ａが実線で表示される例である。例えば、入力された音声情報の音量レベルが０レベル（無音）でない場合、外周枠１０１ａを実線で表示する。この際、色は、例えば白色や黒色、内側１０１ｂと同じ色を用いる。音量表示制御部１４（図１参照）は、音量レベルが０レベル（無音）でない場合、音量レベル表示領域１０１の外周枠１０１ａを表示する際、実線で表示するよう制御し、映像表示部１０に表示させる。
【００５５】
図９（ｂ）に示す例は、音量レベル表示領域１０１の外周枠１０１ａが破線で表示される例である。例えば、入力された音声情報の音量レベルが０レベル（無音）であった場合、外周枠１０１ａを破線で表示する。この際、色は、例えば白色や黒色を用いる。音量表示制御部１４（図１参照）は、音量レベルが０レベル（無音）であった場合、音量レベル表示領域１０１の外周枠１０１ａを表示する際、破線で表示するよう制御し、映像表示部１０に表示させる。
【００５６】
図９（ｃ）に示す例は、音量レベル表示領域１０１の外周枠１０１ａが実線で表示され、さらに図９（ａ）で示す色と異なる色で表示される例である。例えば、入力された音声情報の音量レベルが予め設定されたレベルを超えた場合、外周枠１０１ａを実線で表示するとともに、予め設定されたレベルを超えていない場合の色とは異なる色で表示する。この際、色は、例えば赤色を用いる。音量表示制御部１４（図１参照）は、音量レベルが予め設定されたレベル（例えば、最大レベル）を超えた場合、音量レベル表示領域１０１の外周枠１０１ａを表示する際、実線で表示するとともに、赤色等、通常のレベルの場合とは異なる色で表示するよう制御し、映像表示部１０に表示させる。なお、色の決定は色決定部１３（図１参照）で行ってもよい。
【００５７】
［外周枠の表示形態の決定処理］
図１０は、外周枠の表示形態の決定処理を説明するフローチャートである。このフローチャートは、図１に示す音量表示制御部１４および必要に応じて色決定部１３で行われる。
【００５８】
先ず、音声情報の音量レベルの有無を判断する（ステップＳ１０１）。音量レベルが有る場合には外周枠を実線で描画する（ステップＳ１０２）。一方、音量レベルが無い場合には外周枠を破線で描画する（ステップＳ１０３）。
【００５９】
次に、音量レベルが有る場合には、予め設定されたレベルを超えているか否かを判断する（ステップＳ１０４）。超えている場合には外周枠を赤線で描画する（ステップＳ１０５）。一方、超えていない場合には外周枠を白または黒で描画する（ステップＳ１０６）。
【００６０】
このような音量レベル表示領域の表示によって、矩形等の単純な表示形状でありながら、音量レベルを色で認識できるとともに、外周枠によって音声情報の状態についても把握できるようになる。
【００６１】
＜５．複数チャンネルの場合の表示例＞
次に、音声情報取得部１２（図１参照）で音声情報を取得した際、複数チャンネルの音声情報を取得した場合の表示例について説明する。図１１は、複数チャンネルの音声情報を取得した場合の表示例を示す図である。
【００６２】
音声情報取得部１２が複数チャンネルの音声情報を取得した場合、色決定部１３（図１参照）は、各チャンネルの音声情報ごとに音量に応じた色を決定する。また、音量表示制御部１４（図１参照）は、各チャンネルごとに音量レベル表示領域を設定し、各音量レベル表示領域内に色決定部で決定した各チャンネルごとの音量に応じた色を付して表示する制御を行う。
【００６３】
図１１に示す例では、８チャンネルの音声情報に対応した音量レベル表示領域１０１が表示されている。すなわち、各チャンネルに対応して、８つの音量レベル表示領域１０１が映像表示部１０の映像表示領域１００の一部に表示されている。ここでは、映像表示領域１００のセーフタイトルエリアＳＴＡの外側の下側左右に４つずつ音量レベル表示領域１０１が並べて表示されている。
【００６４】
複数のチャンネルの音声情報がある場合、各チャンネルに対応した音量レベル表示領域１０１の近傍には、対応するチャンネル番号が表示されている。図１１に示す例では、セーフタイトルエリアＳＴＡの外側の下側左に第１〜第４チャンネルに対応した４つの音量レベル表示領域１０１が表示され、各々の音量レベル表示領域１０１の下側近傍にチャンネル番号１〜４が表示されている。また、セーフタイトルエリアＳＴＡの外側の下側右に第５〜第８チャンネルに対応した４つの音量レベル表示領域１０１が表示され、各々の音量レベル表示領域１０１の下側近傍にチャンネル番号５〜８が表示されている。
【００６５】
図１１拡大図では、第５チャンネルに対応した音量レベル表示領域１０１の表示例を示している。一つの音量レベル表示領域１０１が一つのチャンネルに対応し、その音量レベル表示領域１０１の近傍（例えば、下側）に対応するチャンネル番号１０１ｃが数字で表示される。音量レベル表示領域１０１は外周枠１０１ａおよび内側１０１ｂによって構成され、これらの表示形態は先に説明したものと同じである。音量レベル表示領域１０１およびチャンネル番号１０１ｃの表示は、音声表示制御部１４によって制御される。
【００６６】
これにより、複数のチャンネルの音声情報が入力されている場合でも、映像表示の邪魔をすることなく、どの音量レベル表示領域１０１がどのチャンネルに対応しているか、また各チャンネルの音量レベルを的確に把握できることになる。
【００６７】
なお、複数のチャンネルに対応した各音量レベル表示領域１０１の表示の大きさ、位置は、上記の例に限定されない。例えば、これらはユーザによって設定可能となっている。具体的には、ユーザインタフェースを介してユーザの指定を音量表示制御部１４（図１参照）が受け付け、その受け付けた設定に基づき音量レベル表示領域１０１の表示の大きさ、位置を決定して表示制御すればよい。また、各音量レベル表示領域１０１の表示の大きさや位置の情報をネットワークを介して情報表示装置に取り込み、設定するようにしてもよい。
【００６８】
＜６．情報表示プログラム＞
図１２は、本実施形態に係る情報表示プログラムを説明するフローチャートである。本実施形態に係る情報表示プログラムはコンピュータに実行させるステップを有している。コンピュータは本実施形態に係る情報処理プログラムを実行する演算部、プログラムや各種データを格納する記憶部、入出力部を備えている。コンピュータはパーソナルコンピュータ等の電子計算機のほか、映像記録再生装置、携帯端末等の情報を取り扱うことのできる電子機器に組み込まれているものでもよい。また、本実施形態の情報処理プログラムは、ＣＤ−ＲＯＭ等の記録媒体に記録されていたり、ネットワークを介して配信されるものでもある。
【００６９】
先ず、情報の取り込みを行う（ステップＳ２０１）。情報は各種の形式があり、種々の形式に対応した取り込みを行う。例えば、映像情報と音声情報とが別個に送られてくる形式や、映像情報と音声情報とが合成された状態で送られてくる形式もある。また、情報が圧縮（符号化）された状態で送られる場合もある。情報の取り込みは、例えば映像の１フレーム分に相当するデータ量の単位で行われる。
【００７０】
次に、取り込んだ情報から映像情報の取得およびこの映像情報と同期する音声情報の取得を行う（ステップＳ２０２）。例えば、情報が圧縮（符号化）されている場合、映像情報、音声情報を各々伸張（復号化：デコード）する。
【００７１】
次に、デコードした音声情報から音量に応じた色を決定する（ステップＳ２０３）。音量に応じた色の決定は、図６で示すテーブルを利用した方法のほか、音量とレベル境界の閾値との判定によって色を決定する処理であってもよい。
【００７２】
次に、デコードした映像情報を映像表示部に表示する（ステップＳ２０４）。そして、映像情報の表示とともに、この映像情報と同期する音声情報を出力する。また、映像情報の表示とともに、音量レベル表示領域に色を付した表示を行う（ステップＳ２０５）。すなわち、映像表示領域の一部に音量レベル表示領域を設定し、この音量レベル表示領域に、先のステップＳ２０３で決定した音量に応じた色を付して表示する。これにより、現在表示されている映像と同期した音声の音量のレベルが、音量レベル表示領域に色で示されることになる。
【００７３】
次いで、次の情報があるか否かを判断する（ステップＳ２０６）。情報の取り込みを映像の１フレームに相当するデータ量単位で行っている場合には、次の１フレームに相当する情報があるか否かを判断する。ある場合にはステップＳ２０１へ戻り、以降の処理を繰り返す。ない場合には処理を終了する。
【００７４】
このような本実施形態では、映像の表示とともに音量レベルを表示するにあたり、棒状の表示ではなく１個の単純な形状の色で表示することから、映像の邪魔になることなく音量レベルを示すことができるようになる。また、色によって視覚的に音量レベルを確認できる。また、複数チャンネルの音声情報がある場合でも、各チャンネルに対応した色の表示で、各チャンネルの音量レベルを映像の邪魔をすることなく表示できる。また、単純な形状の色表示の外周枠の表示形態によって無音や最大レベル超えといった状態の表示を行うこともできるようになる。
【符号の説明】
【００７５】
１…情報表示装置、１０…映像表示部、１１…映像情報取得部、１２…音声情報所得部、１３…色決定部、１４…音量表示制御部、１０１…音量レベル表示領域、１０１ａ…外周枠、１０１ｂ…内側
【図１】
2010276733.tif 000003
【図２】
2010276733.tif 000004
【図３】
2010276733.tif 000005
【図４】
2010276733.tif 000006
【図５】
2010276733.tif 000007
【図６】
2010276733.tif 000008
【図７】
2010276733.tif 000009
【図８】
2010276733.tif 000010
【図９】
2010276733.tif 000011
【図１０】
2010276733.tif 000012
【図１１】
2010276733.tif 000013
【図１２】
2010276733.tif 000014